(57)【要約】【課題】先に倒す壁部の上端縁同士が重なり合うサイズでありながら小サイズのコンテナを並置した上に段積みでき，かつ折り畳み姿態での厚さ方向寸法が小さい折り畳みコンテナを提供すること。【解決手段】２組の対辺を有する底面板２の四辺に壁部を設けてなり，各壁部をそれぞれの底面板２に沿った辺を軸とする折り畳み動作により内向きに倒れ込ませて折り畳むことができるとともに，折り畳み姿態では，第１対辺の各壁部３，４がいずれも，第２対辺の両方の壁部５と底面板２との間に位置する折り畳みコンテナを対象とする。さらに，底面板２の裏面における，第１対辺同士の中間位置に，第１対辺と平行な溝が形成されており，底面板の上面における，裏面が溝となっている部分を含む領域が，それ以外の領域よりも高い盛り上げ領域とされていることを特徴とする折り畳みコンテナ。【選択図】図４
2019199274.tif 000002
【特許請求の範囲】
【請求項１】
２組の対辺を有する底面板の四辺に壁部を設けてなり，
各壁部をそれぞれの前記底面板に沿った辺を軸とする折り畳み動作により内向きに倒れ込ませて折り畳むことができるとともに，
折り畳んだ姿態では，第１対辺の各壁部がいずれも，第２対辺の両方の壁部と前記底面板との間に位置する折り畳みコンテナであって，
前記底面板の裏面における，前記第１対辺同士の中間位置に，前記第１対辺と平行な溝が形成されており，
前記底面板の上面における，裏面が前記溝となっている部分を含む領域が，それ以外の領域よりも高い盛り上げ領域とされていることを特徴とする折り畳みコンテナ。
【請求項２】
請求項１に記載の折り畳みコンテナであって，前記第１対辺の各壁部は，
折り畳んだ姿態では先端部分同士が重なり合う高さのものであり，
折り畳んだ姿態にて重なり合う範囲内に，他の部分よりも薄い薄肉領域が設けられているものであることを特徴とする折り畳みコンテナ。
【請求項３】
請求項２に記載の折り畳みコンテナであって，
前記第１対辺の各壁部は，折り畳んだ姿態では上端が前記盛り上げ領域を越える高さのものであり，
前記薄肉領域には，他の部分より凹んでいる凹状部が，折り畳んだ姿態で前記底面板を向く面に，前記盛り上げ領域を跨ぐこととなる範囲にわたって形成されていることを特徴とする折り畳みコンテナ。
【発明の詳細な説明】
【技術分野】
【０００１】
本発明は，種々の物品を収納するとともに折り畳みが可能な折り畳みコンテナに関する。さらに詳細には，より小サイズのコンテナを並置した上に段積みして使用することができる折り畳みコンテナに関するものである。
【背景技術】
【０００２】
従来から，長方形状で上方が開口しているとともに，四辺の壁部を内向きに倒すことでコンパクトに折り畳むことができる折り畳みコンテナが使用されている。このような折り畳みコンテナの一例として，特許文献１に記載のものを挙げることができる。同文献の折り畳みコンテナでは，折り畳み時に先に倒す対辺の壁部（側板）の上端縁同士が，折り畳んだ状態では重なり合うようになっている。それとともに，底板の上面の中央には凹窪部を設けている。これにより，折り畳んだ状態では，先に倒した壁部同士の重なり部分が凹窪部中に沈下するようにしている（同文献の［請求項２］）。これにより，折り畳みによる高さの縮小率を向上させている（同文献の［要約］の［課題］）。
【０００３】
一方，折り畳みコンテナの別の一例として，特許文献２に記載のものを挙げることができる。同文献の折り畳みコンテナは，小形のコンテナを並置した上に段積みするように構成されている。そのため，底部の裏面に凹溝を設けている（同文献の［図４］の「１ｅ」）。この凹溝は，段積み状態にて下方の小形のコンテナの側壁の上端部が挿入される部位である（同文献の［０００６］）。
【先行技術文献】
【特許文献】
【０００４】
【特許文献１】特開2004-168374号公報
【特許文献２】特開2002-46737号公報
【発明の概要】
【発明が解決しようとする課題】
【０００５】
しかしながら前記した従来の技術には，次のような問題点があった。特許文献２に記載のように異種サイズのコンテナの上への混載による段積みを行う場合，上下段のコンテナのサイズの組み合わせは種々考えられる。上段の折り畳みコンテナにおいて特許文献１のように先に倒される壁部の上端縁同士が重なり合う位置の真裏に，下段のコンテナの側壁が位置する，という組み合わせもありうる。その場合に特許文献１，２の技術内容を組み合わせようとすると，上段の折り畳みコンテナの底板における当該位置には，上面の凹窪部と裏面の凹溝とをいずれも形成しなければならないことになる。これは著しく困難である。
【０００６】
本発明は，前記した従来の技術が有する問題点を解決するためになされたものである。すなわちその課題とするところは，先に倒す壁部の上端縁同士が重なり合うサイズでありながら小サイズのコンテナを並置した上に段積みでき，かつ折り畳み姿態での厚さ方向寸法が小さい折り畳みコンテナを提供することにある。
【課題を解決するための手段】
【０００７】
本発明の一態様における折り畳みコンテナは，２組の対辺を有する底面板の四辺に壁部を設けてなり，各壁部をそれぞれの底面板に沿った辺を軸とする折り畳み動作により内向きに倒れ込ませて折り畳むことができるとともに，折り畳んだ姿態では，第１対辺の各壁部がいずれも，第２対辺の両方の壁部と底面板との間に位置するものであって，底面板の裏面における，第１対辺同士の中間位置に，第１対辺と平行な溝が形成されており，底面板の上面における，裏面が溝となっている部分を含む領域が，それ以外の領域よりも高い盛り上げ領域とされているものである。
【０００８】
上記態様における折り畳みコンテナでは，底面板の裏面に前述の溝が形成されている。このため，より小寸なコンテナを並置した上に本態様の折り畳みコンテナを安定して段積みすることができる。また，折り畳みコンテナを折り畳んだ折り畳み姿態にて，第１対辺の一方の壁部の大部分は，底面板の上面のうち，高い盛り上げ領域ではない低い領域上に位置する。このため，盛り上げ領域が形成されていても，折り畳み姿態の折り畳みコンテナの厚さはそれほど増大していない。
【０００９】
上記態様の折り畳みコンテナではさらに，第１対辺の各壁部が，折り畳み姿態では先端部分同士が重なり合う高さのものであり，折り畳み姿態にて重なり合う範囲内に，他の部分よりも薄い薄肉領域が設けられているものであることが望ましい。この場合には，折り畳み姿態で第１対辺の壁部の薄肉領域同士が重なり合うことになる。このため，第１対辺の壁部同士が一部重なり合うにもかかわらず，折り畳み姿態の折り畳みコンテナの厚さはそれほど増大していない。折り畳み姿態ではさらに，第１対辺の壁部の薄肉領域の下に底面板の盛り上げ領域が位置する。この点でも，折り畳みコンテナの折り畳み姿態での厚さが削減されている。
【００１０】
上記態様の折り畳みコンテナではさらに，第１対辺の各壁部は，折り畳んだ姿態では上端が盛り上げ領域を越える高さのものであり，薄肉領域には，他の部分より凹んでいる凹状部が，折り畳んだ姿態で底面板を向く面に，盛り上げ領域を跨ぐこととなる範囲にわたって形成されていることが望ましい。このようになっていることで，折り畳み姿態では底面板の盛り上げ領域が凹状部に入り込んだ状態となる。この点でも，折り畳みコンテナの折り畳み姿態での厚さが削減されている。
【発明の効果】
【００１１】
本構成によれば，先に倒す壁部の上端縁同士が重なり合うサイズでありながら小サイズのコンテナを並置した上に段積みでき，かつ折り畳み姿態での厚さ方向寸法が小さい折り畳みコンテナが提供されている。
【図面の簡単な説明】
【００１２】
【図１】実施の形態に係る折り畳みコンテナの斜視図である。
【図２】図１の折り畳みコンテナにおける底面板の斜視図である。
【図３】図１の折り畳みコンテナを折り畳み姿態にして示す斜視図である。
【図４】図１の折り畳みコンテナを折り畳んでいる途中の状態を，一方の長辺の壁部を除去して示す斜視図（その１）である。
【図５】図１の折り畳みコンテナを折り畳んでいる途中の状態を，一方の長辺の壁部を除去して示す斜視図（その２）である。
【図６】図１の折り畳みコンテナを折り畳んでいる途中の状態を示す斜視図である。
【図７】図３の折り畳みコンテナを裏返しにして示す斜視図である。
【図８】図２の底面板を一部切開して示す斜視図である。
【図９】図２の底面板の部分拡大断面図である。
【図１０】図１の折り畳みコンテナにおける短辺の壁部の斜視図である。
【図１１】図１０の壁部の断面図である。
【図１２】図３の折り畳み姿態での折り畳みコンテナの断面図である。
【図１３】図１２の一部を拡大して示す拡大断面図である。
【図１４】図３の折り畳み姿態での折り畳みコンテナを複数個段積みした状態を示す斜視図である。
【図１５】図３の折り畳み姿態での折り畳みコンテナを別の方位から見た斜視図である。
【発明を実施するための形態】
【００１３】
以下，本発明を具体化した実施の形態について，添付図面を参照しつつ詳細に説明する。本形態は，図１に示す折り畳みコンテナ１として本発明を具体化したものである。図１に示される本形態の折り畳みコンテナ１は，直方体状の外形であるとともに上面が開口しているものである。本形態の折り畳みコンテナ１は，底面板２とその四辺に設けられた壁部３〜６とを有している。
【００１４】
底面板２は，図１中では手前側の縁辺部分しか見えていないが，図２に示されるように２組の対辺を有する長方形状のものである。底面板２は，四辺に堰堤部９，１０を有している。このうち，短辺（第１対辺）の堰堤部９よりも長辺（第２対辺）の堰堤部１０の方が高く形成されている。また，底面板２の上面，すなわち折り畳みコンテナ１において収納物が載置される面には，平坦な平坦領域１１と，盛り上げ領域１２とが形成されている。平坦領域１１が，底面板２の上面のうち大部分を占めている。盛り上げ領域１２は，平坦領域１１より高くなっている領域である。盛り上げ領域１２は，底面板２の短辺と短辺との間の中間位置に，短辺と平行に形成されている。盛り上げ領域１２と平坦領域１１との間には傾斜面１３が設けられている。底面板２に盛り上げ領域１２が設けられている理由については後述する。
【００１５】
図１の折り畳みコンテナ１において，底面板２の両短辺の堰堤部９の上にあるのが壁部３，４で，両長辺の堰堤部１０の上にあるのが壁部５，６である。図１の折り畳みコンテナ１はさらに，上面の開口部における両長辺に沿って天井板７，８を有している。天井板７と天井板８との間の部分が実質的な開口部分である。
【００１６】
折り畳みコンテナ１における壁部３〜６は，可倒式のものである。したがって，壁部３〜６を内向きに倒すことで，折り畳みコンテナ１を図３に示す折り畳み姿態とすることができる。図３に示す折り畳み姿態の折り畳みコンテナ１では，最上に壁部５が位置している。壁部５の直下には，図３では分かりにくいが壁部６が位置している。壁部３，４は，図３ではほとんど見えていないが，壁部６のさらに下にある。むろん，底面板２が一番下である。なお，図３の折り畳み姿態に対して図１の状態を以下，伸開姿態という。
【００１７】
本形態の折り畳みコンテナ１では，図１の伸開姿態から図３の折り畳み姿態に折り畳むときに壁部３〜６を倒す順序について，まず短辺の壁部３，４を先に倒して，その後に長辺の壁部５，６を倒す，という手順とする必要がある。このことを図４，図５により説明する。図４，図５においては，理解の便宜のため，長辺の壁部５，６のうち手前側の１枚である壁部６および天井板８を省略して描いている。
【００１８】
図４は，伸開姿態からまず，短辺の壁部３，４のうちの１枚である壁部３を倒した状態を示している。この状態では，倒されている壁部３により，底面板２の盛り上げ領域１２が覆われている。つまり，壁部３の高さは，折り畳み姿態においては上端が盛り上げ領域１２を越える程度である。しかし，平坦領域１１のうち壁部４寄りの部分は，壁部３に覆われずに露出している。
【００１９】
図５は，図４の状態からさらに，短辺の壁部３，４のうちのもう１枚である壁部４を倒した状態を示している。この状態では，底面板２の盛り上げ領域１２ばかりでなく平坦領域１１も完全に覆われている。この状態ではまた，倒されている壁部３，４の先端部分同士が重なり合っている。すなわち，壁部３の先端部分に壁部４の先端部分が覆い被さっている。このことは，図１の伸開姿態での壁部３，４の高さ方向の寸法が，底面板２の長辺長の半分よりやや大きいことを示している。
【００２０】
図６は，図５の状態からさらに，長辺の壁部５，６のうちの１枚である壁部６を倒した状態を示している。図６では，図４，図５と異なり，壁部６および天井板８を省略せずに描いている。図６の状態からさらに，長辺の壁部５，６のうちのもう１枚である壁部５を倒すと図３に示した状態となる。なお，短辺の壁部３，４のうちどちらを先に倒すかは任意である。また，長辺の壁部５，６のうちどちらを先に倒すかも任意である。
【００２１】
上記の折り畳みコンテナ１の折り畳み動作において，壁部３〜６を倒す動作のヒンジ軸は，底面板２の堰堤部９，１０の上端付近に位置する。この位置が，底面板２への壁部３〜６の取り付け位置だからである。すなわち，長辺の壁部５，６のヒンジ軸位置は長辺の堰堤部１０の上端付近であり，短辺の壁部３，４のヒンジ軸位置は短辺の堰堤部９の上端付近である。つまり，長辺の壁部５，６のヒンジ軸の方が短辺の壁部３，４のヒンジ軸より高い位置にある。このため，先に短辺の壁部３，４を倒してからその後に長辺の壁部５，６を倒す動作をするのに特段の支障はない。また，図３〜図６から分かるように，天井板７，８は，長辺の壁部５，６の上端に可動に取り付けられている。壁部５，６を倒した状態では，天井板７，８も寝かされる。
【００２２】
本形態の折り畳みコンテナ１は，より小さいサイズのコンテナを並置した上に混載段積みして使用することを想定しているものである。すなわち，特許文献２の図５における「Ｃ１」のコンテナを本形態の折り畳みコンテナ１で置き替えるような使用状況を想定しているものである。このため，本形態の折り畳みコンテナ１の底面板２の裏面には，図７に示されるように，溝１４が形成されている。溝１４は，底面板２における短辺同士の中間位置に，短辺と平行に設けられている。溝１４は，混載段積み状態の上段にて，下段のコンテナの壁部（２枚分）の頂部が嵌合するための形状である。底面板２の裏面における溝１４以外の領域には，縦横にリブ１５が形成されている。
【００２３】
底面板２の溝１４について，図８，図９によりさらに述べる。これらの図に示されているように，溝１４が形成されている位置は，図２に示した盛り上げ領域１２の位置の真裏の位置である。すなわち盛り上げ領域１２が設けられている理由は，底面板２の強度を，裏面が溝１４となっている位置においても確保することである。さらにいえば，底面板２の上面全体が溝１４に対応して高い位置にされている訳ではない。溝１４から離れた箇所は低い平坦領域１１とされている。
【００２４】
盛り上げ領域１２は，図３の折り畳み姿態における折り畳みコンテナ１の厚さ方向の寸法を増大させる要因となりうるものである。そこで本形態の折り畳みコンテナ１では，短辺の壁部３，４の形状により，折り畳み姿態における厚さの増大を抑えている。以下，その点について説明する。
【００２５】
図１０に，短辺の壁部３，４を単独の状態で示す。壁部３と壁部４とは，単独の状態で見れば同じ物である。図１０中で正面を向いているのは，壁部３，４における，伸開姿態の折り畳みコンテナ１にて内向きとなる面である。言い替えると，折り畳み姿態の折り畳みコンテナ１にて下向きとなり底面板２と対面する面である。また，図１０中における壁部３，４の上端１６は，伸開姿態にて上端となる部位である。一方，図１０中における下端には，底面板２の堰堤部９（図２参照）への取付形状部１７が設けられている。
【００２６】
図１０の壁部３，４を高さ方向に見ると，上端１６付近に，薄肉領域１８が設けられている。薄肉領域１８ではそれ以外の領域１９よりも，壁部３，４の肉厚が薄い。壁部３，４の断面構造を図１１に示す。図１１に示すのは，壁部３，４の縦方向断面のうちおおむね上半分の部分である。壁部３，４の薄肉領域１８における内向き側の面（図１１で右側の面）には，薄肉領域以外の領域１９の表面よりも凹んだ凹状部２０が形成されている。凹状部２０の図１１中で上端の位置には，凸状部２１が設けられている。凸状部２１は，薄肉領域１８が形成されていても壁部３，４の強度を確保する意味があるものである。また，凹状部２０の下端における領域１９との境目は，肩部２２とされている。
【００２７】
図１２に，折り畳みコンテナ１の折り畳み姿態（図３参照）での断面図を示す。図１２は折り畳みコンテナ１の，底面板２における長辺と平行な方向の断面図である。図１２の断面図中では，折り畳みコンテナ１の各部材が下から，底面板２，短辺の壁部３，短辺の壁部４，長辺の壁部６，長辺の壁部５の順に積層されている。なお図１２中では，長辺の壁部５の上にも底面板２の一部分が突出して見えている。
【００２８】
図１２の一部を拡大して図１３に示す。図１３に示されるのは，図１２のうち左右方向の中央付近の領域である。この領域の底面板２には，前述の盛り上げ領域１２（およびその裏面の溝１４）が形成されている。底面板２の直上の短辺の壁部３は，底面板２に対して前述の凹状部２０を向けている。そして，底面板２の盛り上げ領域１２が壁部３の凹状部２０（薄肉領域１８）に覆われる状態となっている。すなわち図１３中では，盛り上げ領域１２が壁部３の凸状部２１と肩部２２との間に位置している。
【００２９】
このため，凹状部２０が盛り上げ領域１２を跨いでおり，盛り上げ領域１２が凹状部２０に入り込んだ形となっている。また，壁部３のうち薄肉領域１８以外の領域１９（図１０，図１１参照）は，底面板２の上面の中でも低い平坦領域１１の上にある。したがって図１３では，盛り上げ領域１２の存在にも関わらず，壁部３の最高高さが，盛り上げ領域１２が形成されていない場合と同等となっている。
【００３０】
そして，壁部３の直上の壁部４においても，盛り上げ領域１２の上方の位置には薄肉領域１８（凹状部２０）が位置している。すなわち，壁部３と壁部４とで，薄肉領域１８同士が重なり合っている。このため，盛り上げ領域１２の存在にも関わらず，また壁部３，４同士が一部重なり合っているにも関わらず，図１３中における壁部４の最高高さはさして高くない。これにより，図１３中における長辺の壁部５，６の最高高さも，盛り上げ領域１２が形成されていない場合と比較して，また，壁部３，４同士が重なり合わない場合と比較して，あまり高くなっていない。このため，図１３（および図１２）に示される折り畳み姿態の折り畳みコンテナ１の厚さが，あまり厚くならずに済んでいる。このことは，特に図１４のように折り畳み姿態の複数の折り畳みコンテナ１を段積みした場合の全高Ｈに対して小さからぬ縮小効果を奏する。
【００３１】
折り畳みコンテナ１には，上記の他にも，折り畳み姿態での厚さを縮小するための工夫が凝らされている。図５および図１５によりその点について述べる。図５に示されるように，長辺の壁部５の側辺２３には，内向きの凸部２４が形成されている。凸部２４は，伸開姿態（図１）にて短辺の壁部３，４の側辺と係合して姿態を安定させる部位である。一方，壁部５の側辺２３の外向き側には，凹部２５が形成されている。この凸部２４および凹部２５は，壁部５の両方の側辺２３に形成されている。また，図５には現れていないがもう１つの長辺の壁部６の両側辺にも同様に形成されている。また，底面板２の短辺の堰堤部９には，上方から見て凹んだ形状の凹部２６が形成されている。
【００３２】
折り畳み姿態の折り畳みコンテナ１においては図１５に示されるように，底面板２の凹部２６に，壁部５，６のうち下側となっている壁部６の凸部２４が嵌り込んでいる。また，壁部６の凹部２５に，上側となっている壁部５の凸部２４が嵌り込んでいる。これにより，壁部５，６における係合のための凸部２４の存在が，折り畳み姿態の折り畳みコンテナ１の厚さを増加させないようにしている。このことは，壁部５，６の倒し順序を逆にしても同様に成り立つ。
【００３３】
また，図１５の折り畳み姿態において，上側となっている壁部５の凹部２５は空いている状態にある。このことは，図１４の段積み状態でも同様である。したがって，ユーザーが段積み状態の複数の折り畳みコンテナ１を手で持ち上げようとするときに，凹部２５のこの空き空間を取っ手として利用することができる。これにより，図１４の段積み状態にある複数の折り畳みコンテナ１を，一番下の１枚を除いて容易に持ち上げることができる。
【００３４】
以上詳細に説明したように本実施の形態によれば，折り畳み動作時に先に倒す短辺の壁部３，４に，薄肉領域１８や凹状部２０を設けている。これにより，底面板２における盛り上げ領域１２の存在や，折り畳み姿態における壁部３，４同士の重なり合いにもかかわらず，折り畳みコンテナ１の折り畳み姿態での厚さを最小限に抑えている。かくして，伸開姿態で混載段積みの上段として使用でき，かつ折り畳み姿態での占有スペースを最小限に抑えた折り畳みコンテナ１が実現されている。
【００３５】
なお，本実施の形態は単なる例示にすぎず，本発明を何ら限定するものではない。したがって本発明は当然に，その要旨を逸脱しない範囲内で種々の改良，変形が可能である。例えば，図１３中における凹状部２０と盛り上げ領域１２との関係についてある程度のバリエーションが考えられる。凹状部２０は最低限，図９中の傾斜面１３，盛り上げ領域１２，傾斜面１３のうちの盛り上げ領域１２の範囲を包含している必要がある。さらにそれに加えて傾斜面１３の範囲の一部または全部を包含していてもよい。その他各部材の具体的デザインは任意である。
【００３６】
また，前記形態では，短辺の壁部を長辺の壁部より先に倒すとともに，短辺の壁部同士が盛り上げ領域１２の上で重なり合うような折り畳みコンテナ１を対象とした。しかしこれに限らず，長辺の壁部を短辺の壁部より先に倒すとともに，長辺の壁部の先端同士が重なり合う構成の折り畳みコンテナを対象として本発明を適用することも可能である。その場合，盛り上げ領域１２やその裏の溝１４に相当する形状は，底面板の長辺と平行に形成されることとなる。このような態様では，混載段積みの下段には，小サイズのコンテナを４個並置しその上に本態様の折り畳みコンテナを載置するのが現実的であるが，このような態様でもよい。
【符号の説明】
【００３７】
１      折り畳みコンテナ
２      底面板
３，４  壁部（短辺）
５，６  壁部（長辺）
１１    平坦領域
１２    盛り上げ領域
１４    溝
１８    薄肉領域
２０    凹状部
【図１】
2019199274.tif 000003
【図２】
2019199274.tif 000004
【図３】
2019199274.tif 000005
【図４】
2019199274.tif 000006
【図５】
2019199274.tif 000007
【図６】
2019199274.tif 000008
【図７】
2019199274.tif 000009
【図８】
2019199274.tif 000010
【図９】
2019199274.tif 000011
【図１０】
2019199274.tif 000012
【図１１】
2019199274.tif 000013
【図１２】
2019199274.tif 000014
【図１３】
2019199274.tif 000015
【図１４】
2019199274.tif 000016
【図１５】
2019199274.tif 000017